(57)【要約】【課題】  ＧＰＳ受信機への妨害を起こすことのない地上デジタルテレビジョンチューナを提供する。【解決手段】  受信チャンネルに同調可能な同調回路２、４と、同調回路２、４の後段に設けられると共に、受信チャンネル信号を所定周波数の中間周波信号に周波数変換するミキサ５と、ミキサ５に局部発振信号を供給する発振器６とを備え、ＵＨＦ帯のチャンネル５６以外の受信時にはアッパーヘテロダイン方式によって受信チャンネル信号を周波数変換し、チャンネル５６の受信時にはローアーヘテロダイン方式によって受信チャンネル信号を周波数変換した。【選択図】        図１
2006313971.tif 000002
【特許請求の範囲】
【請求項１】
受信チャンネルに同調可能な同調回路と、前記同調回路の後段に設けられると共に、前記受信チャンネル信号を所定周波数の中間周波信号に周波数変換するミキサと、前記ミキサに局部発振信号を供給する発振器とを備え、ＵＨＦ帯のチャンネル５６以外の受信時にはアッパーヘテロダイン方式によって前記受信チャンネル信号を周波数変換し、前記チャンネル５６の受信時にはローアーヘテロダイン方式によって前記受信チャンネル信号を周波数変換したことを特徴とする地上デジタルテレビジョンチューナ。
【請求項２】
前記同調回路と前記発振器には前記同調回路の同調周波数と前記発振器の発振周波数を制御するための共通の制御電圧が供給され、前記発振器には発振周波数を設定するための共振回路を設け、前記共振回路の共振周波数を切り替えるようにしたことを特徴とする請求項１に記載の地上デジタルテレビジョンチューナ。
【請求項３】
前記共振回路は少なくともインダクタンス素子と、前記制御電圧が印加されると共に前記インダクタンス素子に並列接続されたバラクタダイオードとを有し、前記インダクタンス素子のインダクタンス値を切り替えるように構成し、前記チャンネル５６以外の受信時には小さくし、前記チャンネル５６の受信時には大きくしたことを特徴とする請求項２に記載の地上デジタルテレビジョンチューナ。
【請求項４】
前記インダクタンス素子は互いに直列接続された第１のインダクタンス素子と第２のインダクタンス素子とを有し、一方の前記インダクタンス素子に並列に第１のスイッチ手段を接続し、前記第１のスイッチ手段を前記チャンネル５６以外の受信時にオンとし、前記チャンネル５６の受信時にオフとしたことを特徴とする請求項３に記載の地上デジタルテレビジョンチューナ。
【請求項５】
前記共振回路は少なくともインダクタンス素子と前記制御電圧が印加されるバラクタダイオードとを有し、前記バラクタダイオードのカソードには第１の抵抗を介して前記制御電圧が印加され、前記バラクタダイオードのカソードを第２の抵抗と第２のスイッチ手段の直列回路を介して接地し、前記第２のスイッチ手段を前記チャンネル５６以外の受信時にオフとし、前記チャンネル５６の受信時にオンとしたことを特徴とする請求項２に記載の地上デジタルテレビジョンチューナ。
【請求項６】
前記発振器には前記発振器の発振周波数を制御するための制御電圧を供給し、前記同調回路には前記同調回路の同調周波数を制御するための前記制御電圧を第３の抵抗を介して供給すると共に、前記制御電圧よりも高い電圧を第４の抵抗と第３のスイッチ手段を直列に介して供給し、チャンネル５６の受信時に前記第３のスイッチ手段をオンにしたことを特長とする請求項１に記載の請求項１に記載の地上デジタルテレビジョンチューナ。
【発明の詳細な説明】
【技術分野】
【０００１】
本発明は、いわゆる地上デジタル放送を受信するのに好適な地上デジタルテレビジョンチューナに関する。
【背景技術】
【０００２】
デジタル放送受信機は、その一部を図３に示すように、従来のアナログ方式のテレビジョン放送受信用のチュ−ナ１１をそのまま用いていた。
【０００３】
即ち、チュ−ナ１１は、入力同調回路１２と混合回路１３と局部発振回路１４と出力フィルタ１５とを有しており、入力同調回路１２は、受信する各チャンネルに対応した信号の周波数に同調可能な単同調回路で構成され、その同調周波数は、周波数の低いチャンネルから高いチャンネルまでを選択可能なように可変となっている。そして、この入力同調回路１２によって選択された受信信号がほぼ減衰することなく混合回路１３に入力される。
【０００４】
混合回路１３に入力された受信信号は、局部発振回路１４からの局部発振信号と混合されることによって中間周波信号に周波数変換される。中間周波信号の周波数は、アナログ方式のテレビジョンの中間周波数と同じである。従って局部発振回路１４からの局部発振信号の周波数も一義的に決定されることになり、局部発振信号の周波数は受信信号の周波数に対して常に中間周波信号の周波数だけ高いものとなっている。
【０００５】
混合回路１３からの中間周波信号は、出力フィルタ１５を介して出力される。この出力フィルタ１５は、ほぼ６ＭＨｚの通過帯域を有するバンドパスフィルタで構成され、隣接するチャンネルの信号を除去するようにしている。そして、このチューナ１１にデジタル信号復調器１６が接続される（例えば、特許文献１参照。）。
【０００６】
【特許文献１】特開平１０−３０４２６２号公報（図２）
【発明の開示】
【発明が解決しようとする課題】
【０００７】
最近は地上デジタル放送を車に搭載して視聴するようになっているが、車にはカーナビ用のＧＰＳ受信機が備えられているケースがある。このような状態で、ＵＨＦ帯のチャンネル５６の信号を受信すると、その受信周波数の中心値が７３１．１４３ＭＨｚ、局部発振周波数が７８８．１４３ＭＨｚ（＝７３１．１４３＋５７ＭＨｚ（中間周波数））となり、局部発振信号の２倍高調波（１５７６．２８６ＭＨｚ）がＧＰＳ信号の周波数１７５．４２ＭＨｚに近くなるので、この２倍高調波がＧＰＳ受信機に飛び込んで受信妨害を起こすおそれがある。
【０００８】
本発明は、ＧＰＳ受信機への妨害を起こすことのない地上デジタルテレビジョンチューナを提供することを目的とする。
【課題を解決するための手段】
【０００９】
上記課題に対して、第１の解決手段は、受信チャンネルに同調可能な同調回路と、前記同調回路の後段に設けられると共に、前記受信チャンネル信号を所定周波数の中間周波信号に周波数変換するミキサと、前記ミキサに局部発振信号を供給する発振器とを備え、ＵＨＦ帯のチャンネル５６以外の受信時にはアッパーヘテロダイン方式によって前記受信チャンネル信号を周波数変換し、前記チャンネル５６の受信時にはローアーヘテロダイン方式によって前記受信チャンネル信号を周波数変換した。
【００１０】
また、第２の解決手段は、前記同調回路と前記発振器には前記同調回路の同調周波数と前記発振器の発振周波数を制御するための共通の制御電圧が供給され、前記発振器には発振周波数を設定するための共振回路を設け、前記共振回路の共振周波数を切り替えるようにした。
【００１１】
また、第３の解決手段は、前記共振回路は少なくともインダクタンス素子と、前記制御電圧が印加されると共に前記インダクタンス素子に並列接続されたバラクタダイオードとを有し、前記インダクタンス素子のインダクタンス値を切り替えるように構成し、前記チャンネル５６以外の受信時には小さくし、前記チャンネル５６の受信時には大きくした。
【００１２】
また、第４の解決手段は、前記インダクタンス素子は互いに直列接続された第１のインダクタンス素子と第２のインダクタンス素子とを有し、一方の前記インダクタンス素子に並列に第１のスイッチ手段を接続し、前記第１のスイッチ手段を前記チャンネル５６以外の受信時にオンとし、前記チャンネル５６の受信時にオフとした。
【００１３】
また、第５の解決手段は、前記共振回路は少なくともインダクタンス素子と前記制御電圧が印加されるバラクタダイオードとを有し、前記バラクタダイオードのカソードには第１の抵抗を介して前記制御電圧が印加され、前記バラクタダイオードのカソードを第２の抵抗と第２のスイッチ手段の直列回路を介して接地し、前記第２のスイッチ手段を前記チャンネル５６以外の受信時にオフとし、前記チャンネル５６の受信時にオンとした。
【００１４】
また、第６の解決手段として、前記発振器には前記発振器の発振周波数を制御するための制御電圧を供給し、前記同調回路には前記同調回路の同調周波数を制御するための前記制御電圧を第３の抵抗を介して供給すると共に、前記制御電圧よりも高い電圧を第４の抵抗と第３のスイッチ手段を直列に介して供給し、チャンネル５６の受信時に前記第３のスイッチ手段をオンにした。
【発明の効果】
【００１５】
第１の解決手段によれば、受信チャンネルに同調可能な同調回路と、同調回路の後段に設けられると共に、受信チャンネル信号を所定周波数の中間周波信号に周波数変換するミキサと、ミキサに局部発振信号を供給する発振器とを備え、ＵＨＦ帯のチャンネル５６以外の受信時にはアッパーヘテロダイン方式によって受信チャンネル信号を周波数変換し、チャンネル５６の受信時にはローアーヘテロダイン方式によって受信チャンネル信号を周波数変換したので、チャンネル５６受信時の局部発振周波数が６７４．１４３ＭＨｚとなり、その２倍高調波は１３４８．２８６ＭＨｚとなる。この周波数はＧＰＳ信号の周波数１５７５．４２ＭＨｚから大きくかけ離れているので、これがＧＰＳ受信機に飛び込んでも、ＧＰＳ受信機は受信妨害を受けない。
【００１６】
また、第２の解決手段によれば、同調回路と発振器には同調回路の同調周波数と発振器の発振周波数を制御するための共通の制御電圧が供給され、発振器には発振周波数を設定するための共振回路を設け、共振回路の共振周波数を切り替えるようにしたので、同調電圧の変更をしなくてもローアヘテロダイン法式に変更できる。
【００１７】
また、第３の解決手段によれば、共振回路は少なくともインダクタンス素子と、制御電圧が印加されると共にインダクタンス素子に並列接続されたバラクタダイオードとを有し、インダクタンス素子のインダクタンス値を切り替えるように構成し、チャンネル５６以外の受信時には小さくし、チャンネル５６の受信時には大きくしたので、チャンネル５６に受信時の発振周波数をローアーヘテロダイン方式に対応した低い周波数とすることができる。
【００１８】
また、第４の解決手段によれば、インダクタンス素子は互いに直列接続された第１のインダクタンス素子と第２のインダクタンス素子とを有し、一方のインダクタンス素子に並列に第１のスイッチ手段を接続し、第１のスイッチ手段をチャンネル５６以外の受信時にオンとし、チャンネル５６の受信時にオフとしたので、共振回路のインダクタンス値を大きくできる。
【００１９】
また、第５の解決手段によれば、共振回路は少なくともインダクタンス素子と制御電圧が印加されるバラクタダイオードとを有し、バラクタダイオードのカソードには第１の抵抗を介して制御電圧が印加され、バラクタダイオードのカソードを第２の抵抗と第２のスイッチ手段の直列回路を介して接地し、第２のスイッチ手段をチャンネル５６以外の受信時にオフとし、チャンネル５６の受信時にオンとしたので、チャンネル５６に受信時の発振周波数をローアーヘテロダイン方式に対応した低い周波数とすることができる。
【００２０】
また、第６の解決手段によれば、発振器には発振器の発振周波数を制御するための制御電圧を供給し、同調回路には同調回路の同調周波数を制御するための制御電圧を第３の抵抗を介して供給すると共に、制御電圧よりも高い電圧を第４の抵抗と第３のスイッチ手段を直列に介して供給し、チャンネル５６の受信時に第３のスイッチ手段をオンにしたので、チャンネル５６の受信時にローアヘテロダイン法式で周波数変換できる。
【発明を実施するための最良の形態】
【００２１】
図１は本発明の第１実施形態の構成を示す。アンテナ１には第１のバンドパスフィルタ２が結合され、第１のバンドパスフィルタ２の後段側には、高周波増幅器３、第２のバンドパスフィルタ４、ミキサ５、中間周波増幅器７、デジタル復調器８が順次接続される。ミキサ５には、発振器６から局部発振信号が供給される。
【００２２】
第１のバンドパスフィルタ２は、例えば単同調回路で構成され、その同調周波数は受信すべきチャンネルのデジタルテレビジョン信号に対応して変えられる。また、第２のバンドパスフィルタ４は、例えば複同調回路で構成され、同様に、その同調周波数も受信すべきチャンネルのデジタルテレビジョン信号に対応して変えられる。
【００２３】
そうするために、第１のバンドパスフィルタ２と第２のバンドパスフィルタ４とにはそれぞれバラクタダイオード（図示せず）が設けられ、バラクタダイオードに印加する制御電圧Ｖｔが変えられる。制御電圧ＶｔはＰＬＬ回路９から供給される。ＰＬＬ回路９には制御電圧Ｖｔを生成するための高電圧Ｂが電圧降下用の抵抗を１０を介して印加され、この高電圧Ｂを選局データによって降下させて制御電圧Ｖｔを生成している。制御電圧Ｖｔは受信すべきチャンネルの周波数に対応したものとなっている。
【００２４】
発振器６には、発振トランジスタ（図示せず）とそれに結合された共振回路６ａとが設けられる。共振回路６ａは、互いに直列に接続された第１のインダクタンス素子Ｌ１及び第２のインダクタンス素子Ｌ２と、これらに並列接続されたバラクタダイオードＶｄと、一方のインダクタンス素子Ｌ２に並列接続された第１のスイッチ手段Ｓｗ１とを有し、バラクタダイオードＶｄのアノードが直流的に設置される。そして、バラクタダイオードＶｄのカソードに制御電圧Ｖｔが印加される。第１のスイッチ手段Ｓｗ１は、例えばスイッチダイオードで構成され、図示しない制御回路によってオン又はオフされる。
【００２５】
なお、図示はしないが、第２のインダクタンス素子Ｌ２に並列に第１のスイッチ手段Ｓｗ１を接続する変わりに、第１のスイッチ手段Ｓｗ１によってバラクタダイオードＶｄに並列に容量素子を接続してもよい。
【００２６】
以上の構成において、ＵＨＦ帯のチャンネル５６以外のチャンネル以外のチャンネルを受信するときには、第１のスイッチ手段Ｓｗ１はオン状態になっている。この状態では、発振器６は受信周波数よりも５７ＭＨｚ高い周波数で発振する。従って、ミキサ５においては、受信周波数と受信周波数と局部発振周波数とが混合されて、それらの差の周波数である５７ＭＨｚを中心周波数とする中間周波信号が出力される。すなわち、アッパーヘテロダイン方式によって受信信号が周波数変換される。この中間周波信号はデジタル復調器８において復調される。
【００２７】
しかし、ＵＨＦ帯のチャンネル５６の地上デジタルＴＶ信号を受信する場合にのみ第１のスイッチ手段Ｓｗ１がオフ状態に切り替えられる。チャンネル５６の受信周波数は、中心値が７３１．１４３ＭＨｚである。すると、共振回路６ａのインダクタンス値が増加し、発振周波数は低くなる。その周波数が受信周波数よりも中間周波数（５７ＭＨｚ）だけ低い値となるよう第２のインダクタンス素子Ｌ２のインダクタンス値が調整されている。すなわち、（７３１．１４３−５７＝６７４．１４３）ＭＨｚで発振する。この周波数は、チャンネル３７を受信するときの局部発振周波数に相当している。この場合においても中間周波信号の中心周波数は５７ＭＨｚとなるが、局部発振周波数が受信周波数よりも低いのでローアーヘテロダイン方式によって周波数変換される。
【００２８】
チャンネル５６受信時の局部発振周波数が６７４．１４３ＭＨｚであることから、その２倍高調波は１３４８．２８６ＭＨｚとなるが、この周波数はＧＰＳ信号の周波数１５７５．４２ＭＨｚから大きくかけ離れているので、これがＧＰＳ受信機に飛び込んでも、ＧＰＳ受信機は受信妨害を受けない。
【００２９】
なお、チャンネル５６の中間周波信号とチャンネル５６以外の中間周波信号とでは周波数スペクトラムが逆となるが、この問題を解決するために、デジタル復調器８には、スペクトラムインバータ機能を有するものが使用される。そして、チャンネル５６の地上波デジタルＴＶ信号を受信する場合には、その中間周波信号のスペクトラムをスペクトラムインバータによって上下逆転して復調する。通常、デジタル復調器８にはスペクトラムインバータが付加されている。
【００３０】
図２は第２実施形態を示す。図１と異なるところは共振回路６ａの構成であり、その他の構成は図１と同じである。共振回路６ａはインダクタンス素子Ｌと、これに並列接続されるバラクタダイオードＶｄとを有する。バラクタダイオードＶｄのアノードは直流的に接地される。また、カソードには第１の抵抗Ｒ１を介して制御電圧Ｖｔが印加される。そして、バラクタダイオードＶｄのカソードは、第２のスイッチ手段Ｓｗ２と第２の抵抗Ｒ２との直列回路を介して接地される。第２のスイッチ手段Ｓｗ２もスイッチダイオード等で構成され、図示しない制御回路によってオン又はオフされる。
【００３１】
図２の構成において、ＵＨＦ帯のチャンネル５６以外のチャンネル以外のチャンネルを受信するときには、第２のスイッチ手段Ｓｗ２はオフ状態になっている。この状態では、発振器６は受信周波数よりも５７ＭＨｚ高い周波数で発振する。従って、ミキサ５においては、受信周波数と受信周波数と局部発振周波数とが混合されて、それらの差の周波数である５７ＭＨｚを中心周波数とする中間周波信号が出力される。この中間周波信号はデジタル復調器８において復調される。
【００３２】
しかし、ＵＨＦ帯のチャンネル５６の地上デジタルＴＶ信号を受信する場合にのみ第２のスイッチ手段Ｓｗ２がオン状態に切り替えられる。すると、制御電圧Ｖｔは第１の抵抗Ｒ１と第２の抵抗Ｒ２とによって分圧されてバラクタダイオードＶｄのカソードには低い電圧が印加されるので、バラクタダイオードＶｄの容量値が増加して発振周波数は低くなる。その周波数が受信周波数よりも中間周波数（５７ＭＨｚ）だけ低い値となるよう第１の抵抗Ｒ１と第２の抵抗Ｒ２との抵抗値が調整されている。すなわち、第２の実施形態においても（７３１．１４３−５７＝６７４．１４３）ＭＨｚで発振することになる。
【００３３】
図３は第３実施形態を示す。図３においては、共振回路６ａの共振周波数を切り替えることはせずに制御電圧をバラクタダイオードＶｄに印加し、２つのバンドパスフィルタ２及び４には第３の抵抗Ｒ３を介して制御電圧Ｖｔを印加すると共に、高電圧電源Ｂを第４の抵抗Ｒ４と第３のスイッチ手段Ｓｗ３とを直列に介して印加する。
【００３４】
そして、チャンネル５６の受信時には制御電圧Ｖｔをチャンネル３７を受信するときの値とすると共に、第３のスイッチ手段Ｓｗ３をオンする。すると、第３の抵抗Ｒ３と第３のスイッチ手段Ｓｗ３との接続点の電圧が高くなるが、この電圧をチャンネル５６に受信に必要な電圧となるように、第３の抵抗Ｒ３と第４の抵抗の抵抗値を設定する。この結果、チャンネル５６の受信時にはローアヘテロダイン方式で周波数変換される。
【００３５】
なお、第１乃至第３のスイッチ手段Ｓｗ１〜Ｓｗ３はトランジスタ或いはダイオードによって簡単に構成できる。
【図面の簡単な説明】
【００３６】
【図１】本発明の地上デジタルテレビジョンチューナにおける第１実施形態の構成を示す回路図である。
【図２】本発明の地上デジタルテレビジョンチューナにおける第２実施形態の構成を示す回路図である。
【図３】従来の地上デジタルテレビジョンチューナの構成を示す回路図である。
【図４】本発明の地上デジタルテレビジョンチューナにおける第３実施形態の構成を示す回路図である。
【符号の説明】
【００３７】
１：アンテナ
２：第１のバンドパスフィルタ
３：高周波増幅器
４：第２のバンドパスフィルタ
５：ミキサ
６：発振器
６ａ：共振回路
７：中間周波増幅器
８：デジタル復調器
９：ＰＬＬ回路
１０：電圧降下用抵抗
１１：高電圧電源
Ｌ：インダクタンス素子
Ｌ１：第１のインダクタンス素子
Ｌ２：第２のインダクタンス素子
Ｖｄ：バラクタダイオード
Ｓｗ１：第１のスイッチ手段
Ｓｗ２：第２のスイッチ手段
Ｓｗ３：第３のスイッチ手段
Ｒ１：第１の抵抗
Ｒ２：第２の抵抗
Ｒ３：第３の抵抗
Ｒ４：第４の抵抗
【図１】
2006313971.tif 000003
【図２】
2006313971.tif 000004
【図３】
2006313971.tif 000005
【図４】
2006313971.tif 000006